(57)【要約】【課題】コンクリート表面の外観を良好にしつつ、躯体の精度を向上できる型枠構造を提供すること。【解決手段】型枠構造１は、略並行に配置された鉄骨梁１０を含む鉄骨鉄筋コンクリート構造の梁および床を構築するためのものである。この型枠構造１は、隣り合う鉄骨梁１０の下フランジ１２に支持されて、これら隣り合う鉄骨梁１０間に架け渡された根太材２０と、隣り合う鉄骨梁１０の間を塞ぐアーチ型枠３１と、根太材２０とアーチ型枠３１との間に設けられた荷重伝達部３２と、を備え、アーチ型枠３１は、隣り合う鉄骨梁１０の中間位置にて上方に向かって膨出する。【選択図】図２
2011169051.tif 000002
【特許請求の範囲】
【請求項１】
略並行に配置された鉄骨梁を含む鉄骨鉄筋コンクリート構造の梁および床を構築するための型枠構造であって、
隣り合う鉄骨梁の下フランジに支持されて、当該隣り合う鉄骨梁間に架け渡された根太材と、
前記隣り合う鉄骨梁の間を塞ぐアーチ型枠と、
前記根太材と前記アーチ型枠との間に設けられた荷重伝達部と、
を備え、
前記アーチ型枠は、前記隣り合う鉄骨梁の中間位置にて上方に向かって膨出することを特徴とする型枠構造。
【請求項２】
前記アーチ型枠の下面に沿って設けられた変形抑制部をさらに備えることを特徴とする請求項１に記載の型枠構造。
【発明の詳細な説明】
【技術分野】
【０００１】
本発明は、型枠構造に関する。詳しくは、鉄骨鉄筋コンクリート構造の梁および床を構築するための型枠構造に関する。
【背景技術】
【０００２】
従来より、鉄骨鉄筋コンクリート造の建物では、梁やスラブのコンクリートを打設するために、この梁やスラブの下の空間に仮設足場や支保工が組み立てられる。
しかしながら、エントランスホールや会議室など、階高が高い空間の上に梁やスラブを構築する場合には、多量の仮設足場や支保工が必要となり、施工コストが高くなる、という問題があった。そこで、例えば、鉄骨梁に仮設足場や型枠を支持させる無支保工工法が採用されている（特許文献１参照）。この無支保工工法によれば、鉄骨梁に吊り足場を支持させ、この吊り足場を利用して、型枠や支保工を組み立てる。
【先行技術文献】
【特許文献】
【０００３】
【特許文献１】特開昭６０−１９８６７号公報
【発明の概要】
【発明が解決しようとする課題】
【０００４】
ところで、天井仕上げを打ち放しとする場合、コンクリート躯体の精度が重要となる。
そこで、特許文献１に示された無支保工工法によりコンクリート躯体の精度を向上させようとすると、セパレータのピッチを密にする必要がある。が、セパレータの数が増えるほど、コンクリート表面には、セパレータのＰコンによる凹部が多数形成されてしまい、外観が良好でない、という問題があった。
【０００５】
本発明は、コンクリート表面の外観を良好にしつつ、躯体の精度を向上できる型枠構造を提供することを目的とする。
【課題を解決するための手段】
【０００６】
請求項１に記載の型枠構造は、略並行に配置された鉄骨梁を含む鉄骨鉄筋コンクリート構造の梁および床を構築するための型枠構造であって、隣り合う鉄骨梁の下フランジに支持されて、当該隣り合う鉄骨梁間に架け渡された根太材と、前記隣り合う鉄骨梁の間を塞ぐアーチ型枠と、前記根太材と前記アーチ型枠との間に設けられた荷重伝達部と、を備え、前記アーチ型枠は、前記隣り合う鉄骨梁の中間位置にて上方に向かって膨出することを特徴とする。
【０００７】
ここで、アーチ型枠の形状は、例えば、断面視で略半円形状や台形状とする。
この発明によれば、鉄骨梁の下フランジが梁底となる。つまり、従来の鉄骨梁と異なり、下フランジの位置が梁底の位置まで下がっている。これにより、鉄骨の梁成が最大となるので、鉄骨梁１０の剛性を増大させて、梁のたわみを抑制でき、コンクリート躯体の精度を向上できる。
また、鉄骨梁の下フランジが露出して、鉄骨の下フランジの幅が梁底の幅となるので、梁底の精度も向上する。
【０００８】
また、アーチ型枠により、梁側面の型枠とスラブ底面の型枠とを兼用することになる。アーチ型枠は、隣り合う鉄骨梁の中間位置で上方に向かって膨出したアーチ状であるので、コンクリート打設時のスラブの荷重や梁の側圧は、アーチ型枠の表面に沿った方向の力となって作用する。よって、アーチ型枠の変形が抑制されて、コンクリート躯体の精度を向上できる。また、Ｐコンを使用しないので、コンクリート表面に凹部が形成されず、コンクリート躯体の外観を良好にできる。
【０００９】
請求項２に記載の型枠構造は、前記アーチ型枠の下面に沿って設けられた変形抑制部をさらに備えることを特徴とする。
【００１０】
この発明によれば、変形抑制部を設けたので、アーチ型枠がコンクリートの圧力によって変形するのを確実に抑制できる。
【発明の効果】
【００１１】
本発明によれば、鉄骨梁の下フランジが梁底となる。つまり、従来の鉄骨梁と異なり、下フランジの位置が梁底の位置まで下がっている。これにより、鉄骨の梁成が最大となるので、鉄骨梁１０の剛性を増大させて、梁のたわみを抑制でき、コンクリート躯体の精度を向上できる。また、鉄骨梁の下フランジが露出して、鉄骨の下フランジの幅が梁底の幅となるので、梁底の精度も向上する。また、アーチ型枠により、梁側面の型枠とスラブ底面の型枠とを兼用することになる。アーチ型枠は、隣り合う鉄骨梁の中間位置で上方に向かって膨出したアーチ状であるので、コンクリート打設時のスラブの荷重や梁の側圧は、アーチ型枠の表面に沿った方向の力となって作用する。よって、アーチ型枠の変形が抑制されて、コンクリート躯体の精度を向上できる。また、Ｐコンを使用しないので、コンクリート表面に凹部が形成されず、コンクリート躯体の外観を良好にできる。
【図面の簡単な説明】
【００１２】
【図１】本発明の一実施形態に係る型枠構造の見上げ図である。
【図２】前記実施形態に係る型枠構造のＡ−Ａ断面図である。
【図３】前記実施形態に係る型枠構造の斜視図である。
【発明を実施するための形態】
【００１３】
図１は、本発明の一実施形態に係る型枠構造１の見上げ図である。図２は、型枠構造１のＡ−Ａ断面図である。
【００１４】
型枠構造１は、略並行に配置された複数の鉄骨梁１０を含む鉄骨鉄筋コンクリート構造の梁および床を構築するためのものである。
鉄骨梁１０は、Ｉ形鋼であり、断面視で鉛直方向に延びるウエブ１１と、このウエブ１１の上下端に設けられて断面視で略水平方向に延びる下フランジ１２および上フランジ１３と、からなる。
ウエブ１１には、所定間隔置きに図示しない貫通孔が形成され、鉄骨梁１０の軽量化が図られている。
下フランジ１２の下面には、後述の根太材２０が２本並んで挿通される根太材受け１２１が所定間隔おきに形成されている。この根太材受け１２１は、断面視で略コの字形状の鋼材を下フランジ１２に溶接することで形成される。
【００１５】
図３は、型枠構造１の斜視図である。図３では、理解の容易のため、鉄骨梁１０の上フランジ１３、鉄骨梁１０のウエブ１１の大部分、およびアーチ型枠３１を省略している。
型枠構造１は、隣り合う鉄骨梁１０の下フランジ１２に支持されてこの隣り合う鉄骨梁１０間に架け渡された根太材２０と、これら根太材２０に支持されて隣り合う鉄骨梁１０の間を塞ぐ型枠部材３０と、を備える。
根太材２０は、断面四角枠形状の角パイプである。この根太材２０は、根太材受け１２１に挿通されている。
【００１６】
型枠部材３０は、隣り合う鉄骨梁１０の中間位置にて上方に向かって膨出する断面視で略半円形状のアーチ型枠３１と、根太材２０とアーチ型枠３１との間に設けられた荷重伝達部３２と、アーチ型枠３１の下面に沿って設けられた変形抑制部３３と、を備える。
荷重伝達部３２と変形抑制部３３とは、鉄骨梁１０の長さ方向に沿って交互に配置されている。
【００１７】
アーチ型枠３１は、コンパネを所定の曲率でアーチ状に反らせたものである。
荷重伝達部３２は、コンパネを縦にして、略半円環形状に切断したものである。この荷重伝達部３２の直線状の辺を根太材２０の上に載せて、荷重伝達部３２と根太材２０との間にくさびを打ち込むことにより、荷重伝達部３２は、根太材２０とアーチ型枠３１との間に固定される。
【００１８】
変形抑制部３３は、コンパネを縦にして、略半円形状に切断したものである。変形抑制部３３の直線状の辺の両端に切り欠き３３１を設けておき、アーチ型枠３１に木片３１１を固定して、この木片３１１に切り欠き３３１を嵌め込んで釘で固定することで、変形抑制部３３は、アーチ型枠３１の下面に沿って固定される。
【００１９】
以上の型枠構造１では、図２に示すように、上端筋４１は、スラブ表面に沿って配筋されるとともに、下端筋４２は、アーチ型枠３１に沿って配筋される。
【００２０】
本実施形態によれば、以下のような効果がある。
（１）鉄骨梁１０の下フランジ１２が梁底となる。つまり、従来の鉄骨梁と異なり、下フランジ１２の位置が梁底の位置まで下がっている。これにより、鉄骨梁１０の梁成が最大となるので、鉄骨梁１０の剛性を増大させて、梁のたわみを抑制でき、コンクリート躯体の精度を向上できる。
また、鉄骨梁１０の下フランジ１２が露出して、鉄骨の下フランジの幅が梁底の幅となるので、梁底の精度も向上する。
【００２１】
また、アーチ型枠３１により、梁側面の型枠とスラブ底面の型枠とを兼用することになる。アーチ型枠３１は、隣り合う鉄骨梁１０の中間位置で上方に向かって膨出したアーチ状であるので、コンクリート打設時のスラブの荷重や梁の側圧は、アーチ型枠の表面に沿った方向の力となって作用する。よって、アーチ型枠３１の変形が抑制されて、コンクリート躯体の精度を向上できる。また、Ｐコンを使用しないので、コンクリート表面に凹部が形成されず、コンクリート躯体の外観を良好にできる。
【００２２】
（２）変形抑制部３３を設けたので、アーチ型枠３１がコンクリートの圧力によって変形するのを確実に抑制できる。
【００２３】
（３）荷重伝達部３２としてコンパネを加工して用いたので、簡易な構成でアーチ型枠３１を支持でき、また、撤去も容易であるので、低コストとなる。また、変形抑制部３３としてコンパネを加工して用いたので、撤去が容易である。
【００２４】
なお、本発明は前記実施形態に限定されるものではなく、本発明の目的を達成できる範囲での変形、改良等は本発明に含まれるものである。
例えば、本実施形態では、アーチ型枠３１を断面視で略半円形状としたが、これに限らず、アーチ型枠を断面視で略台形状としてもよい。すなわち、この場合、アーチ型枠は、スラブ荷重を支持するためのスラブ支持部と、側圧を受ける側圧受け部と、からなる。
【符号の説明】
【００２５】
１…型枠構造
１０…鉄骨梁
１１…ウエブ
１２…下フランジ
１３…上フランジ
２０…根太材
３０…型枠部材
３１…アーチ型枠
３２…荷重伝達部
３３…変形抑制部
１２１…根太材受け
３１１…木片
【図１】
2011169051.tif 000003
【図２】
2011169051.tif 000004
【図３】
2011169051.tif 000005